(57)【要約】      （修正有）【課題】防犯機能として警告灯と警報器を備えた独立電源の照明灯を提供する。【解決手段】入りスイッチ６の操作により点灯する警告灯４と、警報音を吹鳴する警報器５を備えており、緊急時に入りスイッチ６を押すことにより周囲に異常発生を報知するとともに、不審者には警報音で警告、威嚇することができる。また、それらを駆動するための電源は全て太陽光などの自然エネルギーを電気として蓄電したものを利用できるシステムとしており、日没後にはその電源にてＬＥＤ照明灯３を点灯し、常時防犯灯として使用できる。また、蓄電池８や制御機器などの部品を支柱１の中空部に格納することにより、支柱１の外観をスリムにするとともに、歩行者の歩行スペースを確保できる。【選択図】図１
0003130218.tif 000002
【実用新案登録請求の範囲】
【請求項１】
歩道脇等に立設する支柱に、該支柱の前面に設置した入りスイッチの操作により点灯開始する発光警告灯と、警報音を吹鳴開始する警報器を配置し、該支柱適所に設置した切りスイッチの長押し操作によって発光警告灯の点灯と警報器の警報音吹鳴を停止するように構成された防犯システムにおいて、前記支柱前面の入りスイッチ操作によって前記防犯システムが作動後、一定時間経過すると該防犯システムがタイマーによって自動停止する制御手段を具備させると共に、該制御手段の回路中に配置した切替スイッチによって手動停止か自動停止かを任意に選択することができる選択手段を配設し、該選択手段により、自動停止を選択している場合であっても支柱適所の切りスイッチの長押し操作によって作動中の防犯システムを手動停止できる優先停止手段を具備したことを特徴とする防犯機能を持つ独立電源の照明灯。
【請求項２】
請求項１において、支柱を中空部を有する筒状に構成し、該支柱の最上部に取り付けた太陽電池、あるいは風力発電装置を加えたハイブリッド発電装置によって発生した電力を蓄える複数の蓄電池を支柱適所に設置した蓋部材で覆われた中空部に鉛直方向に配置して収納し、かつその収納部を個々の蓄電池ごとに棚で区画形成したことを特徴とする防犯機能を持つ独立電源の照明灯。
【請求項３】
請求項２において、複数の蓄電池が、充電・放電を制御するコントローラに対して電気的に並列接続している構成にあって、その間の電線の長さを等しくしたことを特徴とする防犯機能を持つ独立電源の照明灯。
【請求項４】
請求項２において、蓄電池からの電気を制御部を介して発光警告灯と警報器に通電するにあたり、その制御部回路中にＤＣ−ＤＣコンバータなる電圧安定器を有して、制御部の動作を安定させることを特徴とする防犯機能を持つ独立電源の照明灯。
【考案の詳細な説明】
【技術分野】
【０００１】
本考案は、支柱に設置した入り、切りスイッチを操作することにより、支柱に設置した発光警告灯と警報器を動作させて近辺の安全を向上すべく支柱に備えた防犯システムを持つ独立電源の照明灯に関する。
【背景技術】
【０００２】
従来の防犯灯においては、夜間に点灯する照明器具を路上に設置するものであり、暗がりに潜む不審者に対して犯罪の誘起を抑止するものであったが、昨今路上で発生している事件においては、夜間に限らず昼間であっても夜間同様に犯罪が誘発されている状況となっており、極めて治安上好ましくなくなりつつある。
【０００３】
また、従来から児童や女性における防犯対策として携帯用防犯ベルが市販されており、緊急時にはこれを作動させることでかかる被害を防止していた。
【０００４】
また、従来の独立電源の照明灯においては、蓄電池を収納盤に収納して支柱に取り付けたり、照明灯の脇に分電盤として設置する構成がよく知られている。
【特許文献１】実用新案第３０４４３３０号公報
【特許文献２】実用新案第３０４５４６１号公報
【考案の開示】
【考案が解決しようとする課題】
【０００５】
従来の技術においては夜間に照明機能が発揮される防犯灯程度のものでしかなく、白昼に対応できる防犯システムが存在しない現況であった。また従来の防犯対策として携帯用防犯ベルが市販されているが、これの所持忘れや、緊急時には迅速に操作できないことや、紛失してしまう場合などがあって、実用的でないという問題点があった。
【０００６】
また、独立電源照明灯という発電装置を備えた機器構成にあっては、蓄電池を収納するための収納盤が別途路上にまたは支柱に取付けられているので、その収納盤によって歩道が狭められたり、歩行者の障害物になったりしていた。
【課題を解決するための手段】
【０００７】
本考案は、路上に設置する照明灯の支柱に入り、切り操作スイッチ、発光警告灯、警報器等を設置し、これらを動作させることにより路上の歩行者を不審者から保護し、街の治安を向上させることを目的としたものであり、次の構成・手段からなる。
【０００８】
請求項１の考案によれば、歩道脇等に立設する支柱に、該支柱の前面に設置した入りスイッチの操作により点灯開始する発光警告灯と、警報音を吹鳴開始する警報器を配置し、該支柱適所に設置した切りスイッチの長押し操作によって発光警告灯の点灯と警報器の警報音吹鳴を停止するように構成された防犯システムにおいて、前記支柱前面の入りスイッチ操作によって前記防犯システムが作動後、一定時間経過すると該防犯システムがタイマーによって自動停止する制御手段を具備させると共に、該制御手段の回路中に配置した切替スイッチによって手動停止か自動停止かを任意に選択することができる選択手段を配設し、該選択手段により、自動停止を選択している場合であっても支柱適所の切りスイッチの長押し操作によって作動中の防犯システムを手動停止できる優先停止手段を具備したことを特徴とする防犯機能を持つ独立電源の照明灯であり、不審者や変質者の犯罪誘起を抑制でき、さらには犯罪行為の迅速な報知や威嚇、撃退など、各種現場の状況に応じて臨機応変な対応ができる。
【０００９】
請求項２の考案によれば、支柱の最上部に取り付けた該太陽電池により発生した電力を蓄える蓄電部を複数の蓄電池により構成し、該蓄電池を支柱適所に設置した蓋部材で覆われた中空部に鉛直方向に配置して収納し、その収納部を個々の蓄電池ごとに棚で区画形成することによって、蓄電池収納盤を支柱に取り付けたり、支柱近傍に蓄電池収納盤を設置する必要がなくなり、支柱まわりに歩行の障害となるものがなくなる。
【００１０】
請求項３の考案によれば、充電・放電コントローラと各蓄電池とを並列に接続する電線の長さを等しくすることによって、各電線の内部抵抗が等しくなり、複数の蓄電池間に生じる充電・放電の偏りを防止することができる。このことによって、蓄電池の使用寿命に個々でバラツキが生じないようにすると共に、各蓄電池が有する出力電圧の一定化を図ることができる。
【００１１】
請求項４の考案によれば、太陽電池あるいは風力発電装置などの自然エネルギーは、そのときどきの天候によって発電する電力量を左右されるので、それによって充電された蓄電池の出力電圧もそのときどきによって大きく変動する。しかしながら、請求項１の警告灯や警報器、さらにはその動作を制御するリレー、タイマーなどの電気部品には許容動作電圧の範囲が設定してあり、その範囲外での使用を保証していない。したがって、蓄電池と各電器部品をつなぐ回路中にＤＣ−ＤＣコンバータなる電圧安定器を配置することによって、蓄電池の出力電圧の大小に関係無く、常に一定の定格電圧を電気部品に供給可能となる。 
【考案の効果】
【００１２】
請求項１の考案による防犯システムにより、昼夜を問わず路上に不審者が出没した場合には支柱前面に設置したスイッチの操作による発光回転灯の点灯と警報音の吹鳴によって、周囲に異常事態が発生したことを知らせるとともに、不審者を退散させることができ、地域の治安を向上させることができる。
【００１３】
請求項２の考案により不要となった蓄電池収納盤の大きさ分は支柱まわりがオープンとなり、仮に狭い路上であっても歩行スペースを確保できる。また、照明灯の支柱の外観や美観が向上し、周囲の景観に配慮できる。
【００１４】
請求項３の考案により、配線を複雑にすることなく複数の蓄電池を電気的に並列接続することができ、個々の蓄電池の状態を均一に保つことにより、不均衡であった場合に生じるであろうさまざまなトラブルを防止できる。
【００１５】
請求項４の考案により、天候による蓄電池の電圧変動の影響を排除できたことで、この防犯システムの根幹となる電気部品が安定して動作できるようになり、故障や誤動作などを回避し、本考案の防犯システムの信頼性を向上させることができる。
【考案を実施するための最良の形態】
【００１６】
以下、添付図面に基づいて、本考案に係る支柱に備えた防犯システムに於ける実施の形態について詳細に説明する。
【００１７】
図１は、本考案に係る支柱に備えた防犯システムの構成例を示す照明灯Ａの外観図である。該照明灯Ａを構成する符号１は下端部が地中に埋め込まれた支柱で歩道脇等に立設されており、最上部にはパネル状の太陽電池２が配置されＬＥＤ照明灯３と赤色の回転表示灯（発光警告灯）４、ブザー等の吹鳴音を発する警報器５が上部に配設されている。また、下部には防犯システムを作動する入りスイッチ６が支柱１の前面に、防犯システムを停止する切りスイッチ７が支柱１の背面とか側面等の適所に配設されており、支柱１は筒状のパイプ製で構成されており、その下部にある開閉扉（蓋部材）１ａを開けると、中空部にある棚１ｂで区画形成された複数の蓄電池８が鉛直方向に収納されている。上記中空部の収納部を覆う蓋部材は、扉状とかスライド式の開閉タイプでも良く、着脱方式の蓋タイプでも良いものである。
【００１８】
上記入りスイッチ６は押しボタンスイッチであり、例えば通学中の児童が操作し易く、かつ防水機能を有し耐久性を備えたスイッチを採用する。発光警告灯４は、入りスイッチ６を児童等の通行人が操作することにより回転点灯する赤色や橙色等の遠方から作動視認が容易に識別できるようにした回転表示灯である。また、この発光警告灯４は回転表示以外に、予め設定した一定時間ごとに赤色発光を瞬間的に繰返すようにしても良い。警報器５は、入りスイッチ６を児童等の通行人が操作することにより警報音を吹鳴発信する警報器である。警報器５は、不審者を威嚇して追払うのに必要な大音量をもち、設置場所に応じて音色や音量を調節できる。また警報器５は警報音以外に音声装置を組み込んで、「助けて下さい。」などの音声を発するようにしても良い。切りスイッチ７は支柱背面若しくは側面等の適所にある押しボタンスイッチであり、入りスイッチ６の操作で作動した発光警告灯４と警報器５を停止させるものである。
【００１９】
前述の入りスイッチ６は、例えば支柱１の設置地面高さから１ｍ程度であって、児童等が容易に操作できる範囲の高さに設置する。また、緊急時に入りスイッチ６の場所が良く分かるように入りスイッチ６に近接させて「たすけてボタン」の表示マークなどを設けておくと迅速に操作をすることができる利点がある。さらに、前述の切りスイッチ７は不審者の出没によって通行人が入りスイッチ６を操作し、発光警告灯４、警報器５が発光、吹鳴作動しているときに、不審者によって容易にこの防犯システムを停止されることが無いように切りスイッチ７の配置は、入りスイッチ６の配置箇所以外の支柱１の背面とか側面などの陰部適所に設けてあり、かつサイズも小さく目立たないものであり、ボタン操作においても、数秒間（例えば３〜３０秒の範囲で任意設定）の長押し動作によってはじめて、防犯システムを停止できるものとする。
【００２０】
支柱１の下部中空部には、複数の蓄電池８が鉛直方向に沿って列設する構成となっており、それぞれが支柱１の中空部に設けた棚１ｂに載置されて区画形成され、切りスイッチ７を備えた開閉扉１ａ等の蓋部材で覆われている。このように蓄電池８を支柱１の内部に収納することによって、従来必要であった蓄電池収納盤を支柱１に取り付けたり、照明灯の近傍に設置する必要が無くなり、照明灯の周囲のスペースを拡大することが可能となる。
【００２１】
次に、本考案に係る支柱に備えた防犯システムに於いて、図２は照明灯及び防犯システムを概略的に表した構成図であり、これに基づき説明する。
【００２２】
従来のとおり、太陽電池２にて発電した電気は充電・放電コントローラ９を介して、一旦蓄電池８に蓄えられ、夜間には蓄電池８の電気で充電・放電コントローラ９を介して、ＬＥＤ照明３を点灯させているが、かかる考案では、その蓄電池８の電気を利用して前述の防犯システムの動作電源としている。
【００２３】
しかしながら、この動作電源は太陽電池の発電量に全てを依存しているので、特に昼間の場合は天候の具合により電源電圧は大きく上下することになる。そこで、防犯システム部の電源回路の最上流にＤＣ−ＤＣコンバータ１１なる電圧安定器を配置することが必要となる。ＤＣ−ＤＣコンバータ１１は蓄電池８の電圧が９〜１８Ｖまでの範囲での変動に対して、常に１２Ｖ一定の電圧にて出力することができ、リレー、タイマー等の制御部（制御手段）１２の制御機器の許容動作電圧範囲内で常時使用することができ、天候条件に左右されること無く防犯システムが作動可能となる。
【００２４】
また、複数個の蓄電池８と、中継端子１０とは、図２に示すように電線１３で電気的に並列接続されている。すなわち、この電線１３は一端がそれぞれの蓄電池８に接続され、他端は中継端子１０に接続されている構成である。さらにこれらの電線１３はそれぞれ全径・全長共に等しいものが用いられている。係る構成とすることにより、充電・放電コントローラ９及びＤＣ−ＤＣコンバータ１１と、各蓄電池８との間の電気抵抗を等しくすることが可能となる。
【実施例１】
【００２５】
次に、本考案に係る支柱に備えた防犯システムに於いて、図３は防犯システムのフローを表したものであり、実施の形態に基づき説明する。
【００２６】
例えば通学中の児童が不審者と遭遇したときに、児童もしくは、その友人が支柱１に設置した防犯システムを作動する入りスイッチ６を操作すると、発光警告灯４が赤色点灯し、同時に警報器５の警報音によって報知し周囲に異常事態が発生したことを知らせるとともに、不審者を威嚇・撃退することもできる。
【００２７】
また、防犯システムを停止させる場合には、制御部（制御手段）１２の回路中に組み込まれたモード選択スイッチ（選択手段）１４の設定に応じて、二通りの停止方法を任意に選ぶことができる。１つ目の方法として選択スイッチ１４を連続側に選択した場合は、支柱１の背面若しくは側面の適所にある防犯システム切りスイッチ７を長押しすると、発光警告灯４及び警報器５は停止する。２つ目の方法として選択スイッチ１４をタイマー側に選択した場合は、任意に設定した時間が経過するとタイマーによって、発光警告灯４及び警報器５は自動停止する。さらには、タイマー動作中であっても防犯システム切りスイッチ７を長押しすれば、発光警告灯４及び警報器５を停止させることもできる。すなわち、選択手段で自動停止を選択している場合であっても支柱適所の切りスイッチの長押し操作によって作動中の防犯システムを手動停止できる優先停止手段を具備している。また、前述の二通りの停止方法いずれの場合であっても、蓄電池８が放電してしまえば、自動的に停止する。
【産業上の利用可能性】
【００２８】
図１では、太陽電池２と蓄電池８による独立電源を本考案の防犯システムの動作電源としたが、既存の電柱の商用電源を利用して回転警告灯４及び警報器５を動作させても良いし、支柱１を必ず新設する必要も無く、既存の防犯灯に防犯システムだけを配設して、商用電源で動作させても良い。いずれにしても設置場所の状況に応じて、最適でかつ安価となる方法を用いることで地域にこの防犯システムが普及することが望ましい。
【図面の簡単な説明】
【００２９】
【図１】本考案の支柱に備えた防犯機能付独立電源照明灯の構成例を示す外観図
【図２】本考案の照明灯及び防犯システムの概略構成図
【図３】本考案の防犯システムフロー図
【符号の説明】
【００３０】
Ａ    照明灯
１    支柱
１ａ  開閉扉
１ｂ  棚
２    太陽電池
３    ＬＥＤ照明灯
４    発光警告灯
５    警報器
６    防犯システム入りスイッチ
７    防犯システム切りスイッチ
８    蓄電池
９    充電・放電コントローラ
10    中継端子
11    ＤＣ−ＤＣコンバータ
12    制御部
13    同径・同長の電線
14    モード選択スイッチ
【図１】
0003130218.tif 000003
【図２】
0003130218.tif 000004
【図３】
0003130218.tif 000005
【手続補正書】
【提出日】平成18年12月18日(2006.12.18)
【手続補正１】
【補正対象書類名】実用新案登録請求の範囲
【補正対象項目名】全文
【補正方法】変更
【補正の内容】
【実用新案登録請求の範囲】
【請求項１】
歩道脇等に立設する支柱に、該支柱の前面に設置した入りスイッチの操作により点灯開始する発光警告灯と、警報音を吹鳴開始する警報器を配置し、該支柱適所に設置した切りスイッチの長押し操作によって発光警告灯の点灯と警報器の警報音吹鳴を停止するように構成された防犯システムにおいて、前記支柱前面の入りスイッチ操作によって前記防犯システムが作動後、一定時間経過すると該防犯システムがタイマーによって自動停止する制御手段を具備させると共に、該制御手段の回路中に配置した切替スイッチによって手動停止か自動停止かを任意に選択することができる選択手段を配設し、該選択手段により、自動停止を選択している場合であっても支柱適所の切りスイッチの長押し操作によって作動中の防犯システムを手動停止できる優先停止手段を具備したものであることを特徴とする防犯機能を持つ独立電源の照明灯。
【請求項２】
支柱を中空部を有する筒状に構成し、該支柱の最上部に取り付けた太陽電池、あるいは風力発電装置を加えたハイブリッド発電装置によって発生した電力を蓄える複数の蓄電池を支柱の中空部に鉛直方向に配置して格納し、かつその格納部を個々の蓄電池ごとに区画形成したものであることを特徴とする請求項１に記載の防犯機能を持つ独立電源の照明灯。
【請求項３】
複数の蓄電池が、充電・放電を制御するコントローラに対して電気的に並列接続している構成にあって、その間の電線の長さを等しくしたものであることを特徴とする請求項２に記載の防犯機能を持つ独立電源の照明灯。
【請求項４】
蓄電池からの電気を警告灯と警報器に通電するにあたり、その回路中にＤＣ−ＤＣコンバータなる電圧安定器を有するものであることを特徴とする請求項２に記載の防犯機能を持つ独立電源の照明灯。